(57)【要約】【課題】管内に作業者が入らずに伏越横断管の内壁面の清掃を行う。【解決手段】障害物３を挟んで配設された上流側下水路１および下流側下水路２にそれぞれ連結されて障害物よりも下方に延びる上流側伏越室１１および下流側伏越室１２と、障害物の下方で上流側伏越室および下流側伏越室の下端同士を連結する伏越横断管１３とを備える下水道の伏越構造において、伏越横断管内の水面に多数個の浮体Ｆを浮かせ、それら浮体を当該伏越横断管内に滞留させた状態で動かすことにより、浮体を伏越横断管の内壁面に対して擦らせて、それにより、伏越横断管の内壁面に付着した汚れを清掃する。【選択図】図１
2010126941.tif 000002
【特許請求の範囲】
【請求項１】
障害物を挟んで配設された上流側下水路および下流側下水路にそれぞれ連結されて前記障害物よりも下方に延びる上流側伏越室および下流側伏越室と、前記障害物の下方で上流側伏越室および下流側伏越室の下端同士を連結する伏越横断管と、を備える下水道の伏越構造において、
前記伏越横断管内の水面に多数個の浮体を浮かせ、それら浮体を当該伏越横断管内に滞留させた状態で動かすことにより、前記浮体を伏越横断管の内壁面に対して擦らせて、それにより、該伏越横断管の内壁面に付着した汚れを清掃することを特徴とする下水道の伏越構造の清掃方法。
【請求項２】
請求項１に記載の下水道の伏越構造の清掃方法であって、
前記伏越横断管内に空気を導入する空気供給手段と、導入された空気によって前記伏越横断管内の上部に長手方向に沿った空気溜まりを形成して下水の流れる断面を小さくする空気保持手段とを設け、
該空気保持手段として、上流側および下流側伏越室と伏越横断管の両端との各連絡口に、該各連絡口を上方から閉鎖して該伏越横断管内の上部に空気溜まり用の空間を形成するゲートを設け、
上流側のゲートと下流側のゲートを少なくとも途中位置まで閉鎖して伏越横断管内に空気を導入することにより、該伏越横断管内の上部に長手方向に沿った空気溜まりを形成し、
該空気溜まりを形成した状態で、または、前記空気溜まりを形成しながら、前記伏越横断管内に前記浮体を導入することを特徴とする下水道の伏越構造の清掃方法。
【請求項３】
請求項２に記載の下水道の伏越構造の清掃方法であって、
前記ゲートの開度を調節することで、前記伏越横断管内に前記浮体を滞留させつつ、前記浮体の下側において下水を流すことを特徴とする下水道の伏越構造の清掃方法。
【請求項４】
請求項２または３に記載の下水道の伏越構造の清掃方法であって、
前記空気溜まりへの空気の供給量を加減することで、前記伏越横断管内の水面レベルを変化させ、それにより水面に浮かせた前記浮体を動かすことを特徴とする下水道の伏越構造の清掃方法。
【請求項５】
請求項２〜４のいずれか１項に記載の下水道の伏越構造の清掃方法であって、
前記伏越横断管の内部から見て前記上流側のゲートの内側の位置または下流側のゲートの内側の位置の少なくとも一方に、空気または／および浮体を前記伏越横断管内に送り込む連通管の下端を連通させ、
前記連通管の上端に、該連通管内に空気または／および浮体を導入する導入チャンバの出口を接続し、
前記導入チャンバの出口および該導入チャンバ内に前記浮体を投入する入口に、それら出口および入口を開閉する第１バルブおよび第２バルブをそれぞれ設け、
更に前記導入チャンバに、該チャンバ内に高圧空気を送り込むコンプレッサを接続し、
前記連通管、導入チャンバ、第１、第２バルブ、およびコンプレッサにより構成される前記空気供給手段により前記伏越横断管内に空気を供給し、
前記連通管、導入チャンバ、および第１、第２バルブにより構成される浮体供給手段により前記伏越横断管内に浮体を供給することを特徴とする下水道の伏越構造の清掃方法。
【請求項６】
請求項５に記載の下水道の伏越構造の清掃方法であって、
前記上流側伏越室と前記伏越横断管の連絡口に前記上流側のゲートを開閉自在に支持するフレームが固定され、前記下流側伏越室と前記伏越横断管の連絡口に前記下流側のゲー
トを開閉自在に支持するフレームが固定され、前記上流側のゲートのフレームまたは下流側のゲートのフレームの少なくとも一方に設けられたエア導入口に前記連通管の下端を接続したことを特徴とする下水道の伏越構造の清掃方法。
【請求項７】
請求項１〜６のいずれか１項に記載の下水道の伏越構造の清掃方法であって、
前記伏越横断管内の水面に全水面を覆う量の前記浮体を浮かせることを特徴とする下水道の伏越構造の清掃方法。
【請求項８】
請求項１〜７のいずれか１項に記載の下水道の伏越構造の清掃方法であって、
前記浮体として、水没容積が大きく且つ比重の異なるものをそれぞれ多数個、前記伏越横断管内の水面に向けて供給することにより、比重の違いによる前記浮体の層を形成することを特徴とする下水道の伏越構造の清掃方法。
【請求項９】
請求項１〜８のいずれか１項に記載の下水道の伏越構造の清掃方法であって、
前記浮体が、粒状、塊状、あるいはボール状のものであり、且つ、下流に流し去ることのできるもの、下流で回収することのできるもの、あるいは、時間経過により消失させることのできるもの、であることを特徴とする下水道の伏越構造の清掃方法。
【発明の詳細な説明】
【技術分野】
【０００１】
本発明は、下水道の伏越構造の清掃方法に関するものである。
【背景技術】
【０００２】
一般に河川、鉄道、あるいは移設が困難な地下埋設物等の障害物を横切って地下水路を敷設する必要があるような場合、障害物の存在する区間の下水道を伏越（逆サイフォン式の連通路）で構成することが多い（例えば、特許文献１、２参照）。合流式下水道の分野で採用される伏越の構成例の中に、エアクッション・サイフォンシステムを取り入れたものが知られているので（例えば、非特許文献１、２参照）、それについて以下に簡単に説明する。図３は２つのゲートでエアクッション室を形成するタイプの構造例を示している。
【０００３】
この構造では、図３（ａ）に示すように、障害物３を挟んで上流側と下流側に上流側下水路１と下流側下水路２が設けられ、各下水路１、２に連通させて、障害物３の両側に上流側伏越室１１と下流側伏越室１２とが垂直に設けられている。そして、垂直に設けられた両伏越室１１、１２の下端間を、障害物３の下側に通した伏越横断管１３で連結している。
【０００４】
また、各伏越室１１、１２と伏越横断管１３の両端の連絡口１５、１６には、該各連絡口１５、１６を上側から閉鎖するゲート１７、１８が昇降自在に設けられており、各ゲート１７、１８は図示略の駆動機構により開閉操作ができるようになっている。図３（ｂ）のように２つのゲート１７、１８をある程度途中まで閉じると、伏越横断管１３内の上部に空気溜まり用の空間（以下、エアクッション室という）Ｐを形成することができ、この空間Ｐに外部のコンプレッサ５１からエア管路４０を通して空気を導入して封じ込めることにより、伏越横断管１３内の下水の流れる流路断面を小さくして流れを速くすることができる。
【０００５】
このゲート式のエアクッション・サイフォンシステムを運転する場合、図３（ａ）に示すように、通常時はゲート１７、１８を全開して、伏越横断管１３の流路断面を大きく使って下水を流す。流路断面を大きく使った場合、緩い流れとなるので、伏越横断管１３内に堆積物Ｔが溜まるおそれがある。そこで、適当なタイミングで、図３（ｂ）に示すような堆積物除去運転を行う。堆積物除去運転時は、ゲート１７、１８をある程度まで閉じる。そして、それにより伏越横断管１３内の上部にできるエアクッション室Ｐに外部から空気を導入し、これを保持することにより伏越横断管１３内の下水の流れる断面を小さくして、下水の流れを速くし、堆積物Ｔを押し流す。このように運転することにより、伏越横断管１３内の清掃の負担を減らすことができる。
【０００６】
また、下水量に差のある雨天時と晴天時の運転の切り替えにより、予め伏越横断管１３の中に堆積物が溜まらないようにすることもできる。即ち、下水量の少ない晴天時には、伏越横断管１３の流路断面を全部開放すると流速が遅くなって堆積物が溜まりやすくなるので、ゲート１７、１８を適当な開度まで閉じて、伏越横断管１３の中に空気を封じ込めることにより、下水の流れる断面を小さくして、流れを速くする。こうすることで、伏越横断管１３の中に堆積物が溜まりにくくすることができる。また、雨天時に下水の量が増えたときには、晴天時に封入しておいた空気を抜いて、ゲート１７、１８を全開することで、たくさんの下水を流せるようにする。
【０００７】
また、別の公知例として、前述のゲートの代わりに、伏越横断管の両端連絡口にそれぞ
れ空気袋を配設し、必要に応じてこれらの空気袋に空気を導入して空気袋を膨らませることにより、伏越横断管の両端連絡口を上側から所定の断面分だけ閉鎖して、伏越横断管の流路断面内の上部にエアクッション室を形成し、そのエアクッション室に空気を導入することにより、伏越横断管の実質的な流路断面を縮小するようにしたものもある。
【０００８】
また、更に別の公知例として、前述のゲートや空気袋の代わりに、伏越横断管の両端連絡口に、開口部を下に向けたエルボ管を接続し、必要に応じて伏越横断管の中に空気を導入して、伏越横断管の流路断面内の上部のエアクッション室に空気を閉じこめることで、伏越横断管の実質的な流路断面を縮小するようにしたものもある。
【０００９】
ところで、上述した従来の下水道の伏越部構造を長く運転していると、伏越横断管１３の内壁面に汚れが付着するようになり、流路抵抗が増して、排水効率が悪くなることがある。
【００１０】
そのような場合、伏越横断管１３の内壁面の清掃を行う必要が生じてくる。従来では、伏越横断管１３内に土砂や汚泥等の堆積物Ｔが溜まった際に、上流側のゲート１７を閉じて、伏越横断管１３の内部を空にし、空になった伏越横断管１３内に作業員が潜入して、作業員が自力もしくは圧力水を利用して清掃作業を行っていたので、その際に同時に伏越横断管１３の内壁面の汚れも落としていた。
【００１１】
【特許文献１】特開２００２−３４８９４８号公報
【特許文献２】特開２００３−２５３７３９号公報
【非特許文献１】「合流式下水道と伏越し」鈴木宏著  株式会社公共投資ジャーナル社  平成１４年１２月２５日発行
【非特許文献２】東京都下水道局  インターネット  ＜ＵＲＬ：http://www.gesui.metro.tokyo.jp/odekake/syorijyo/03_13.htm＞
【発明の開示】
【発明が解決しようとする課題】
【００１２】
しかし、そのような清掃作業は、人的労力に負うところが大きいため、作業者の負担が非常に大きかった。また、障害物の大きさによっては、伏越横断管１３の長さが２ｋｍ程度にもなる場合があり、作業者負担や定期的な清掃作業に伴うランニングコストの面からも大きな問題であった。
【００１３】
本発明は、上記事情を考慮し、管内に作業者が入らずに伏越横断管の内壁面の清掃を行うことのできる下水道の伏越構造の清掃方法を提供することを目的とする。
【課題を解決するための手段】
【００１４】
請求項１の発明は、障害物を挟んで配設された上流側下水路および下流側下水路にそれぞれ連結されて前記障害物よりも下方に延びる上流側伏越室および下流側伏越室と、前記障害物の下方で上流側伏越室および下流側伏越室の下端同士を連結する伏越横断管と、を備える下水道の伏越構造において、前記伏越横断管内の水面に多数個の浮体を浮かせ、それら浮体を当該伏越横断管内に滞留させた状態で動かすことにより、前記浮体を伏越横断管の内壁面に対して擦らせて、それにより、該伏越横断管の内壁面に付着した汚れを清掃することを特徴としている。
【００１５】
この場合、浮体を動かす方法としては、例えば次の方法を採ることができる。
（ａ）伏越横断管内において下水を流すことによって浮体を動かす。
（ｂ）伏越横断管内において水面レベルを上げ下げすることによって浮体を動かす。
（ｃ）伏越横断管内において下水を流すと共に水面レベルを上げ下げすることによって
浮体を動かす。
（ｄ）伏越横断管内においてエアレーションを行うことによって浮体を動かす。
【００１６】
請求項２の発明は、請求項１に記載の下水道の伏越構造の清掃方法であって、前記伏越横断管内に空気を導入する空気供給手段と、導入された空気によって前記伏越横断管内の上部に長手方向に沿った空気溜まりを形成して下水の流れる断面を小さくする空気保持手段とを設け、該空気保持手段として、上流側および下流側伏越室と伏越横断管の両端との各連絡口に、該各連絡口を上方から閉鎖して該伏越横断管内の上部に空気溜まり用の空間を形成するゲートを設け、上流側のゲートと下流側のゲートを少なくとも途中位置まで閉鎖して伏越横断管内に空気を導入することにより、該伏越横断管内の上部に長手方向に沿った空気溜まりを形成し、該空気溜まりを形成した状態で、または、前記空気溜まりを形成しながら、前記伏越横断管内に前記浮体を導入することを特徴としている。
【００１７】
請求項３の発明は、請求項２に記載の下水道の伏越構造の清掃方法であって、前記ゲートの開度を調節することで、前記伏越横断管内に前記浮体を滞留させつつ、前記浮体の下側において下水を流すことを特徴としている。
【００１８】
請求項４の発明は、請求項２または３に記載の下水道の伏越構造の清掃方法であって、前記空気溜まりへの空気の供給量を加減することで、前記伏越横断管内の水面レベルを変化させ、それにより水面に浮かせた前記浮体を動かすことを特徴としている。
【００１９】
請求項５の発明は、請求項２〜４のいずれか１項に記載の下水道の伏越構造の清掃方法であって、前記伏越横断管の内部から見て前記上流側のゲートの内側の位置または下流側のゲートの内側の位置の少なくとも一方に、空気または／および浮体を前記伏越横断管内に送り込む連通管の下端を連通させ、前記連通管の上端に、該連通管内に空気または／および浮体を導入する導入チャンバの出口を接続し、前記導入チャンバの出口および該導入チャンバ内に前記浮体を投入する入口に、それら出口および入口を開閉する第１バルブおよび第２バルブをそれぞれ設け、更に前記導入チャンバに、該チャンバ内に高圧空気を送り込むコンプレッサを接続し、前記連通管、導入チャンバ、第１、第２バルブ、およびコンプレッサにより構成される前記空気供給手段により前記伏越横断管内に空気を供給し、前記連通管、導入チャンバ、および第１、第２バルブにより構成される浮体供給手段により前記伏越横断管内に浮体を供給することを特徴としている。
【００２０】
請求項６の発明は、請求項５に記載の下水道の伏越構造の清掃方法であって、前記上流側伏越室と前記伏越横断管の連絡口に前記上流側のゲートを開閉自在に支持するフレームが固定され、前記下流側伏越室と前記伏越横断管の連絡口に前記下流側のゲートを開閉自在に支持するフレームが固定され、前記上流側のゲートのフレームまたは下流側のゲートのフレームの少なくとも一方に設けられたエア導入口に前記連通管の下端を接続したことを特徴としている。
【００２１】
請求項７の発明は、請求項１〜６のいずれか１項に記載の下水道の伏越構造の清掃方法であって、前記伏越横断管内の水面に全水面を覆う量の前記浮体を浮かせることを特徴としている。
【００２２】
請求項８の発明は、請求項１〜７のいずれか１項に記載の下水道の伏越構造の清掃方法であって、前記浮体として、水没容積が大きく且つ比重の異なるものをそれぞれ多数個、前記伏越横断管内の水面に向けて供給することにより、比重の違いによる前記浮体の層を形成することを特徴としている。
【００２３】
請求項９の発明は、請求項１〜８のいずれか１項に記載の下水道の伏越構造の清掃方法
であって、前記浮体が、粒状、塊状、あるいはボール状のものであり、且つ、下流に流し去ることのできるもの、下流で回収することのできるもの、あるいは、時間経過により消失させることのできるもの、であることを特徴としている。
【発明の効果】
【００２４】
請求項１の発明によれば、伏越横断管内に供給した多数の浮体によって伏越横断管の内壁面の汚れを清掃するので、作業者が伏越横断管内に入って清掃作業する必要を無くすことができ、作業負担を減らすことができる。
【００２５】
請求項２の発明によれば、伏越横断管内の上部に長手方向に沿った空気溜まりを形成した状態で、または、空気溜まりを形成しながら、伏越横断管内に浮体を導入するので、多数個の浮体を容易に伏越横断管内の水面に浮かせることができる。
【００２６】
また、伏越横断管内の上部に長手方向に沿った空気溜まりを形成することによって、下水の流れる実効流路断面を小さくして、流速を速くすることができるので、水路底への砂等の堆積を防止したり、既に水路底に堆積している砂等を下流側へ押し流すことができ、十分な清掃効果を得ることができる。しかも、その上で、伏越横断管内の水面に多数の浮体を浮かせるので、下水の流れる実効流路断面を更に小さくして流速を速くすることができ、清掃効果を高めることができる。また、多くの浮体が滞留しやすい箇所は、流速の遅い部分（例えば、水深が他より深くなっている箇所や水路幅が他より広くなった箇所）であり、そのような箇所に浮体が多く滞留することによって、浮体と水路底との間の実際に水が流れる実効水路断面積が小さくなるので、それにより、その部分の流速を速めて、砂等の堆積を防止したり、既に底に堆積している砂等を下流側へ押し流すことができ、十分な清掃効果を得ることができる。
【００２７】
請求項３の発明によれば、ゲートの開度を調節することで、伏越横断管内に浮体を滞留させつつ、浮体の下側において下水を流すので、下水の流れに伴って浮体が細かくまたは大きく動くことによって、伏越横断管の内壁面の汚れを落とすことができる。特にゲートの開度を調節することによって、流速を変化させることができるので、浮体を大きく動かすことができ、効率よく伏越横断管の内壁面の汚れを除去することができる。
【００２８】
請求項４の発明によれば、空気溜まりへの空気の供給量を加減することで、伏越横断管内の水面レベルを変化させ、それにより水面に浮かせた浮体を動かすので、浮体の上下の動きによって伏越横断管の内壁面の汚れを取ることができるし、伏越横断管の内壁面の各高さごとの汚れを取ることもできる。
【００２９】
請求項５の発明によれば、次のように操作することにより、請求項の発明の効果を奏することができる。まず、ゲートの操作により空気溜まり用の空間を作って伏越横断管内に空気を導入する際には、導入チャンバの入口側の第２バルブを閉じ、出口側の第１バルブを開け、コンプレッサにより導入チャンバを経由して、高圧空気をゲートで画成された空気溜まり用の空間に導入する。そうすることにより、下水の流れる実効流路断面を小さくして、流速を速くすることができる。
【００３０】
また、その上で、伏越横断管内に浮体を導入する必要が生じた場合は、（１）まず、導入チャンバの出口側の第１バルブを閉じ、（２）次に、コンプレッサから導入チャンバへの高圧空気の導入を停止した状態で、導入チャンバの入口側の第２バルブを開いて、導入チャンバの中に浮体を投入する。（３）その後、導入チャンバの入口側の第２バルブを閉じ、コンプレッサからの高圧空気を導入チャンバへ導入し、導入チャンバ内を伏越横断管内と同気圧とする。（４）次に、その状態で導入チャンバの出口側の第１バルブを開放することにより、導入チャンバ内の浮体を伏越横断管内に連通管を経由して投入する。
【００３１】
伏越横断管は数十メートルから数百メートルに及ぶことが多いため、実際の作業では、上記の浮体の投入動作、つまり（１）〜（４）の動作を繰り返して行うことにより、伏越横断管内に必要十分な量の浮体を導入する。そして、それらの浮体を動かすことによって、伏越横断管の内壁面の清掃を人手によらずに行うことができる。
【００３２】
請求項６の発明によれば、ゲートを開閉自在に支持するフレームのエア導入口に、空気または／および浮体を導入するための連通管の下端を接続しているので、ゲートの付帯設備として、空気や浮体を導入するための連通管やその上のバルブ付きの導入チャンバを設置するだけで、コストを抑制しながら、清掃作業の無人化を実現することができる。
【００３３】
請求項７の発明によれば、伏越横断管内の水面に全水面を覆う量の浮体を浮かせるので、伏越横断管の内壁面の全面をもれなく清掃することができる。
【００３４】
請求項８の発明によれば、水没容積が大きく且つ比重の異なる多数の浮体を伏越横断管内の水面に向けて供給することにより、比重の違いによる浮体の層を形成するようにしているので、伏越横断管の内壁面の広い範囲を効率よく清掃することができる。
【００３５】
請求項９の発明によれば、浮体の取り扱いが容易であり、簡単に実施できる。浮体の具体的な例としては、ゴムや軟質あるいは硬質のプラスチックのボールの中に比重を重くするための水や重り等を封入したものを利用することができる。このようなボール状の浮体を利用した場合は、下流側に流した後でネットやスクリーン等により簡単に回収することができるので、再利用サイクルを用意してやれば、経済的に運転することができる。また、浮体として、スポンジや外周にブラシの付いたもの等の清掃に適したものを採用することにより、清掃効率を上げることができる。
【発明を実施するための最良の形態】
【００３６】
以下、本発明の実施形態を図面を参照して説明する。
図１は実施形態の清掃方法を実現するための下水道の伏越システムの概略構成を示す断面図である。
このシステムの伏越構造では、障害物３を挟んで上流側と下流側に上流側下水路１と下流側下水路２が設けられ、各下水路１、２に連通させて、障害物３の両側に上流側伏越室１１と下流側伏越室１２とが垂直に設けられている。そして、垂直に設けられた両伏越室１１、１２の下端間を、障害物３の下側に通した伏越横断管１３で連結している。この場合の伏越横断管１３内の流路は上流側から下流側に向かって下り傾斜している。
【００３７】
また、各伏越室１１、１２と伏越横断管１３の両端の連絡口１５、１６には、該各連絡口１５、１６を上側から閉鎖するゲート１７、１８が昇降自在に設けられており、各ゲート１７、１８は図示略の駆動機構により開閉操作ができるようになっている。２つのゲート１７、１８をある程度途中まで閉じると、伏越横断管１３内の上部に空気溜まり用の空間（以下、エアクッション室という）Ｐを形成することができ、この空間Ｐに外部のコンプレッサ（空気供給手段５０の一要素）５１から連通管４０を通して空気を導入して封じ込めることにより、伏越横断管１３内の下水の流れる実効流路断面を小さくして流れを速くすることができる。ここで、２つのゲート１７、１８は、コンプレッサ５１から供給された空気によって、伏越横断管１３内の上部に長手方向に沿った空気溜まりを形成する空気保持手段の役割を果たす。
【００３８】
各ゲート１７、１８は、図２に下流側の例を示すように、各連絡口１５、１６に固定されたフレーム６０に開閉自在（昇降スライド自在）に支持されている。フレーム６０は、伏越横断管１３の内部から見てゲート１７、１８よりも内側に位置しており、これら上流
側のゲート１７のフレーム６０または下流側のゲート１８のフレーム６０の少なくとも一方の上辺部には、空気溜まり用の空間Ｐにエアを導入するためのエア導入口６２が設けられている。そして、このエア導入口６２に、垂直上方に延びる前記連通管４０の下端が接続されている。なお、図２では、エア導入口６２や連通管４０を伏越横断管１３の下流側に設けた例を示しているが、上流側にエア導入口６２や連通管４０を設けてもよいし、伏越横断管１３の長さが非常に長い場合は、上流側と下流側の両方にエア導入口６２や連通管４０を設けてもよい。
【００３９】
また、上記の設備に加えて、空気溜まり用の空間（エアクッション室）Ｐに対して、多数個の浮体Ｆを必要に応じて供給することのできる浮体供給手段７０が設けられている。この浮体供給手段７０からエアクッション室Ｐに供給された浮体Ｆは、伏越横断管１３内の流水上に浮き、水面のほぼ全面を覆った状態で、伏越横断管１３内に滞留する。また、伏越横断管１３よりも下流側には、流れてきた使用済みの浮体Ｆを回収する浮体回収手段７４が設けられている。
【００４０】
前記連通管４０の上端には、該連通管４０内に空気または／および浮体Ｆを導入する導入チャンバ７１の出口７１ａが接続されている。この導入チャンバ７１は、多数の浮体Ｆを投入して一時的に貯留できる大きさに形成されており、この導入チャンバ７１の出口７１ａおよび導入チャンバ７１内に浮体Ｆを投入する入口７１ｂには、それら出口７１ａおよび入口７１ｂを開閉する第１バルブＶ１および第２バルブＶ２がそれぞれ設けられている。また、導入チャンバ７１には、該チャンバ７１内に高圧空気を送り込むための前記コンプレッサ５１が第３バルブＶ３を介して接続されている。また、導入チャンバ７１の入口７１ｂには、多数の浮体Ｆを溜めておくことのできる貯留容器７２が連結され、その貯留容器７２に浮体回収手段７４で回収した浮体Ｆが順次供給されるようになっている。
【００４１】
ここでは、大体のところ、連通管４０、導入チャンバ７１、第１、第２、第３バルブＶ１、Ｖ２、Ｖ３、コンプレッサ５１によって空気供給手段５０が構成されており、また、連通管４０、導入チャンバ７１、貯留容器７２、第１、第２バルブＶ１、Ｖ２によって浮体供給手段７０が構成されている。
【００４２】
次に、この伏越システムの運転方法および清掃方法について説明する。
この伏越システムを運転する場合、通常時はゲート１７、１８を全開して、伏越横断管１３の流路断面を大きく使って下水を流す。流路断面を大きく使った場合、緩い流れとなるので、伏越横断管１３内に堆積物が溜まるおそれがある。
【００４３】
そこで、適当なタイミングで、堆積物除去運転を行う。堆積物除去運転時は、ゲート１７、１８をある程度まで閉じる。そして、それにより伏越横断管１３内の上部にできるエアクッション室（空気溜まり用の空間）Ｐに、コンプレッサ５１から空気を導入する。その場合は、第１バルブＶ１および第３バルブＶ３を開き、第２バルブＶ２を閉じた状態でコンプレッサ５１を駆動することによって、導入チャンバ７１および連通管４０を経由してエアクッション室Ｐに空気を導入する。そして、途中まで閉鎖したゲート１７、１８によって、エアクッション室Ｐに空気溜まりを保持することにより、伏越横断管１３内の下水の流れる断面を小さくして、下水の流れを速くし、堆積物を下流側へ押し流す。このように運転することにより、伏越横断管１３内の清掃の負担を減らすことが可能となる。
【００４４】
また、下水量に差のある雨天時と晴天時の運転の切り替えにより、予め伏越横断管１３の中に堆積物が溜まらないように運転することもできる。即ち、下水量の少ない晴天時には、伏越横断管１３の流路断面を全部開放すると流速が遅くなって堆積物が溜まりやすくなるので、ゲート１７、１８を適当な開度まで閉じて、伏越横断管１３の中に空気を封じ込めることにより、下水の流れる断面を小さくして、流れを速くする。こうすることで、
伏越横断管１３の中に堆積物が溜まりにくくすることができる。また、雨天時に下水の量が増えたときには、晴天時に封入しておいた空気を抜いて、ゲート１７、１８を全開することで、たくさんの下水を流せるようにする。
【００４５】
ところで、上述のような運転を長期間にわたって行っているうちに、伏越横断管１３の内壁面に汚れが付着するようになる。汚れは水面の高さに多く付着する傾向があるので、水面レベルが上下することにより、伏越横断管１３の内壁面に何層もの汚れが地層のように付着する。
【００４６】
そこで、そのような場合は、伏越横断管１３の内部に多数の浮体Ｆを供給して清掃を開始する。清掃は次のように行う。まず、上流側のゲート１７と下流側のゲート１８を少なくとも途中位置まで閉鎖して（全閉でもよい）、伏越横断管１３内に空気を導入することにより、伏越横断管１３内の上部に長手方向に沿った空気溜まりを形成する。そして、空気溜まりを形成した状態で、または、空気溜まりを形成しながら、伏越横断管１３内に浮体Ｆを投入する。浮体Ｆの投入は次の手順で行う。
【００４７】
（１）最初に、導入チャンバ７１の出口側の第１バルブＶ１を閉じる。
（２）次に、第３バルブＶ３を閉じ、コンプレッサ５１の運転を停止することにより、コンプレッサ５１から導入チャンバ７１への高圧空気の導入を停止する。そして、その状態で、導入チャンバ７１の入口側の第２バルブＶ２を開いて、導入チャンバ７１の中に貯留容器７２から浮体Ｆを投入する。
（３）その後、導入チャンバ７１の入口側の第２バルブＶ２を閉じ、第３バルブＶ３を開けると共に、コンプレッサ５１を起動してコンプレッサ５１からの高圧空気を導入チャンバ７１へ導入する。そして、導入チャンバ７１内を伏越横断管１３内と同気圧とする。
（４）次に、その状態で導入チャンバ７１の出口側の第１バルブＶ１を開放することにより、導入チャンバ７１内の浮体Ｆを連通管４０を通して伏越横断管１３内に重力により投入する。
【００４８】
伏越横断管１３は数十メートルから数百メートルに及ぶものが多いため、実際の作業では、上記（１）〜（４）の浮体Ｆの投入動作を繰り返して行うことにより、伏越横断管１３内に必要量（最低でも、伏越横断管１３内の水面を全て覆う量）の浮体Ｆを導入する。このように、伏越横断管１３内の上部に長手方向に沿った空気溜まりを形成した状態で、または、空気溜まりを形成しながら、伏越横断管１３内に浮体Ｆを投入することにより、多数個の浮体Ｆを容易に伏越横断管１３内の水面に浮かせることができる。
【００４９】
また、浮体Ｆを投入したら、少なくとも下流側のゲート１８を、水面の高さよりも下がった位置まで下げておくことにより、エアクッション室Ｐに供給してある多数個の浮体Ｆを、下流側伏越室１２に流れ出ないように、伏越横断管１３内に滞留させておく。
【００５０】
このように準備した上で、伏越横断管１３内に滞留させた浮体Ｆを積極的に動かすことにより、浮体Ｆを伏越横断管１３の内壁面に対して擦らせ、それにより伏越横断管１３の内壁面に付着した汚れを清掃する。
【００５１】
浮体Ｆを動かす方法としては、例えば、次の方法を採ることができる。
（ａ）伏越横断管１３内で下水を流すことによって浮体Ｆを動かす。
（ｂ）伏越横断管１３内で水面レベルを上げ下げすることによって浮体Ｆを動かす。
（ｃ）伏越横断管１３内で下水を流すと共に水面レベルを上げ下げすることによって浮体Ｆを動かす。
（ｄ）伏越横断管１３内でエアレーションを行うことによって浮体を動かす。
【００５２】
（ａ）、（ｃ）の方法を実施する場合は、ゲート１７、１８の開度を調節することで、伏越横断管１３内に浮体Ｆを滞留させつつ、浮体Ｆの下側において下水を流す。また、（ｂ）、（ｃ）の方法を実施する場合は、空気溜まりへの空気の供給量を加減することで、伏越横断管１３内の水面レベルを変化させ、それにより水面に浮かせた浮体Ｆを上下に動かす。また、（ｄ）の方法を実施する場合は、別途図示しないエアレーション手段を伏越横断管１３内に装備しておき、エアを噴出することで、浮体Ｆを激しく動かす。
【００５３】
このように、伏越横断管１３内に供給した多数の浮体Ｆを動かすことよって、伏越横断管１３の内壁面に付着した汚れを清掃するので、作業者が伏越横断管１３内に入って清掃作業する必要を無くすことができ、作業負担を減らすことができる。また、伏越横断管１３内の水面に全水面を覆う量の浮体Ｆを浮かせるので、伏越横断管１３の内壁面の全面をもれなく清掃することができる。
【００５４】
特に、ゲート１７、１８の開度を調節することで、滞留した浮体Ｆの下側において下水を流す場合は、下水の流速変化により浮体Ｆを細かくまたは大きく動かすことができるので、伏越横断管１３の内壁面の汚れを効率よく落とすことができる。
【００５５】
また、空気溜まりへの空気の供給量を加減することで、浮体Ｆを上下に動かす場合は、浮体Ｆの動きによって伏越横断管１３の内壁面の各高さごとの汚れを効率よく取ることができる。
【００５６】
また、伏越横断管１３内の上部に長手方向に沿った空気溜まりを形成することによって、下水の流れる実効流路断面を小さくして、流速を速くすることができるので、水路底への砂等の堆積を防止したり、既に水路底に堆積している砂等を下流側へ押し流すことができ、十分な清掃効果を得ることができる。
【００５７】
しかも、その上で、伏越横断管１３内の水面に多数の浮体Ｆを浮かせるので、下水の流れる実効流路断面を更に小さくして流速を速くすることができ、清掃効果を高めることができる。また、多くの浮体Ｆが滞留しやすい箇所は、流速の遅い部分（例えば、水深が他より深くなっている箇所や水路幅が他より広くなった箇所）であり、そのような箇所に浮体Ｆが多く滞留することによって、浮体Ｆと水路底との間の実際に水が流れる実効水路断面積が小さくなるので、それにより、その部分の流速を速めて、砂等の堆積を防止したり、既に底に堆積している砂等を下流側へ押し流すことができ、十分な清掃効果を得ることができる。
【００５８】
そして、上述のように浮体Ｆを浮かせての運転が終了したら、上流側および下流側のゲート１７、１８を開放する。そうすると、堰き止めていたゲート１８がなくなることにより、浮体Ｆを下流側伏越室１２に流すことができる。従って、例えば下流側の適当な位置にネットやスクリーン等を設置しておけば、浮体Ｆを回収することができ、再び浮体Ｆを供給装置７０に受け渡して、循環的に利用することができる。
【００５９】
また、本実施形態によれば、ゲート１７、１８を開閉自在に支持するフレーム６０のエア導入口６２に、空気または／および浮体Ｆを導入するための連通管４０の下端を接続したので、ゲート１７、１８の付帯設備として、空気や浮体Ｆを導入するための連通管４０やその上のバルブ付きの導入チャンバ７１を設置することができる。従って、コストを抑制しながら、必要な設備を作ることができる。
【００６０】
なお、上述した浮体Ｆとしては、形状的には、粒状、塊状、あるいはボール状のものが採用可能である。また、別の性質として、下流に流し去ることのできるもの、下流で回収することのできるもの、あるいは、時間の経過により自動的に消失させることのできるも
のが採用可能である。
【００６１】
また、浮体Ｆは、水面に確実に浮く性質のものであることが必須であり、しかも、できるだけ水没部分の容積が大きくなるように比重を重く設定したものが最適である。また、比重の異なるものをそれぞれ多数個用意して、伏越横断管１３内の水面に向けて供給することにより、比重の違いによる浮体Ｆの層を形成するようにしてもよい。
【００６２】
浮体Ｆの具体例としては、ゴムや軟質あるいは硬質のプラスチックのボールの中に比重を重くするための水や重り等を封入したものを利用することができる。水入りゴムボールを用いれば、使用しないときに水を抜いて小さくすることができるので、保管に便利である。また、ボーリングのボール（エボナイト球）や水を含ませたスポンジ状のものや、ゴム等のボールの外周にブラシなどの清掃に役立つ要素を付加したものも使用できる。サイズは、連通管４０に通せるものであれば、大小は問わない。
【００６３】
このようなボール状の浮体を利用した場合は、上述したように、下流側に流した後でネットやスクリーン等により簡単に回収することができるので、再利用のサイクルを用意してやれば、経済的に運転することができる。
【００６４】
また、上記実施形態においては、伏越横断管１３の両端の連絡口１５、１６に昇降自在なゲート１７、１８を設け、それらゲート１７、１８をある程度閉じることにより、伏越横断管１３の流路断面内の上部にエアクッション室Ｐを形成し、そのエアクッション室Ｐに空気を導入することにより、伏越横断管１３の実質的な流路断面を縮小する場合を述べたが、ゲートの代わりに、伏越横断管１３の両端連絡口１５、１６にそれぞれ空気袋を配設し、必要に応じてこれらの空気袋に空気を導入して空気袋を膨らませることにより、伏越横断管１３の両端連絡口１５、１６を上側から所定の断面分だけ閉鎖して、伏越横断管１３の流路断面内の上部にエアクッション室Ｐを形成し、そのエアクッション室Ｐに空気を導入することにより、伏越横断管１３の実質的な流路断面を縮小するようにした場合にも、本発明は適用することができる。その場合、空気袋は広い意味でゲートと見なすこともできる。
【００６５】
また、ゲートや空気袋の代わりに、伏越横断管１３の両端連絡口１５、１６に、開口部を下に向けたエルボ管を接続し、必要に応じて伏越横断管１３の中に空気を導入して、伏越横断管１３の流路断面内の上部のエアクッション室Ｐに空気を閉じこめることで、伏越横断管１３の実質的な流路断面を縮小するようにした場合にも、本発明は適用することができる。
【００６６】
また、上記実施形態では、空気と浮体Ｆを別々に伏越横断管１３内に導入する場合について述べたが、同時に空気と浮体Ｆを伏越横断管１３内に導入するようにしてもよい。
【図面の簡単な説明】
【００６７】
【図１】本発明の実施形態の清掃方法を実施する下水道の伏越システムの概略構成を示す断面図である。
【図２】空気または／および浮体を供給するための経路の例を示す要部断面図である。
【図３】従来のエアクッション・サイフォンシステムを組み込んだ伏越部構造の図であり、（ａ）は通常時の状態、（ｂ）は清掃時の状態を示す図である。
【符号の説明】
【００６８】
１  上流側下水路
２  下流側下水路
３  障害物
１１  上流側伏越室
１２  下流側伏越室
１３  伏越横断管
１５，１６  連絡口
１７，１８  ゲート（空気保持手段）
４０  連通管
５０  空気供給手段
５１  コンプレッサ
６０  フレーム
６２  エア導入口
７０  浮体供給手段
７１  導入チャンバ
７１ａ  出口
７１ｂ  入口
Ｖ１  第１バルブ
Ｖ２  第２バルブ
Ｆ  浮体
【図１】
2010126941.tif 000003
【図２】
2010126941.tif 000004
【図３】
2010126941.tif 000005